(57)【要約】【課題】１つのアンテナを用いて複数の無線通信サービスが使用できるだけでなく、各無線通信サービスを同時に使用でき、構成を簡単化し、挿入損失を減少できるコンカレントモードアンテナシステムを提供する。【解決手段】同時に動作可能な複数の動作周波数が形成され、複数のフィード点を有するアンテナと、フィード点に接続され、アンテナを介して送受信される無線信号を処理する信号処理回路とを含み、単一アンテナで各動作周波数帯域に対応する様々な無線サービスを同時に提供することができ、アンテナシステムのサイズを小型化し、アンテナシステムの挿入損失の発生を防止すると共に、構造を簡単化してコスト節減を図ることができる。【選択図】図３
2008154233.tif 000002
【特許請求の範囲】
【請求項１】
同時に動作可能な複数の動作周波数が形成され、複数のフィード点を有するアンテナと、
前記フィード点に接続され、前記アンテナを介して送受信される無線信号を処理する信号処理回路と、
を含むことを特徴とするコンカレントモードアンテナシステム。
【請求項２】
前記信号処理回路は、前記無線信号を処理する複数のＲＦ回路であることを特徴とする請求項１に記載のコンカレントモードアンテナシステム。
【請求項３】
前記ＲＦ回路は、前記各フィード点に１対１に対応するように複数設けられたことを特徴とする請求項２に記載にコンカレントモードアンテナシステム。
【請求項４】
前記アンテナは、グラウンドと前記グラウンドに接地されるストリップライン状の放射体として形成され、
前記放射体には複数のフィード点が形成されたことを特徴とする請求項１に記載のコンカレントモードアンテナシステム。
【請求項５】
前記各フィード点には前記ＲＦ回路と接続するためのポートが形成されたことを特徴とする請求項４に記載のコンカレントモードアンテナシステム。
【請求項６】
前記放射体は、一方が折り曲げられたストリップラインに形成される第１放射部と、前記第１放射部に向かって折り曲げられたストリップラインに形成され、前記第１放射部と互いに所定の長さだけ平行に配置された第２放射部を含むことを特徴とする請求項４に記載のコンカレントモードアンテナシステム。
【請求項７】
前記第１放射部と前記第２放射部の一方の端部には前記ポートがそれぞれ接続されていることを特徴とする請求項６に記載のコンカレントモードアンテナシステム。
【請求項８】
前記第１放射部は、ストリップラインがスパイラル状に複数回折り曲げられて形成されていることを特徴とする請求項６に記載のコンカレントモードアンテナシステム。
【請求項９】
前記第１放射部と対称形状で形成され、前記第１放射部に並べて配置され、前記第１放射部とカップリングを形成する補助放射部をさらに含むことを特徴とする請求項６に記載のコンカレントモードアンテナシステム。
【請求項１０】
前記第２放射部は、前記第１放射部と前記補助放射部の周りに沿って複数回折り曲げられたストリップラインで形成され、前記第１放射部および前記補助放射部とカップリングを形成することを特徴とする請求項９に記載のコンカレントモードアンテナシステム。
【請求項１１】
前記放射体と前記グラウンドは誘電体基板の両方にそれぞれ配置され、
前記グラウンドの一方から延長したストリップラインに形成され、前記誘電体基板を貫通するビアホールを介して前記放射体に電気的に接続されたマッチング部を更に含むことを特徴とする請求項４に記載のコンカレントモードアンテナシステム。
【請求項１２】
前記ストリップラインの一方にはオープンスタブ（ｏｐｅｎ  ｓｔｕｂ）、ショートスタブ（ｓｈｏｒｔ  ｓｔｕｂ）、ＬＣ回路のいずれか１つが取り付けられたことを特徴とする請求項４に記載のコンカレントモードアンテナシステム。
【請求項１３】
前記オープンスタブと前記ショートスタブの長さは遮断を希望する周波数のλ／４の長さで形成されることを特徴とする請求項１２に記載のコンカレントモードアンテナシステム。
【請求項１４】
前記ＬＣ回路を構成するインダクタのインダクタンスと、コンデンサの容量は遮断を希望する周波数に応じて決定されることを特徴とする請求項１２に記載のコンカレントモードアンテナシステム。
【発明の詳細な説明】
【技術分野】
【０００１】
本発明は、コンカレントモードアンテナシステムに関し、詳細には単一のアンテナを用いて複数の周波数帯域の無線信号を送受信できるようにすることで、様々な無線通信サービスを可能にしたコンカレントモードアンテナシステムに関する。
【背景技術】
【０００２】
最近、無線通信技術の発達に伴って携帯電話機器、ＰＤＡ（Personal Digital Assistant/Personal Data Assistance）、パソコン、ノート型パソコンなどの無線端末で使用できる様々な無線通信サービス、例えば、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＰＣＳ（Ｐｅｒｓｏｎａｌ  Ｃｏｍｍｕｎｉｃａｔｉｏｎ  Ｓｅｒｖｉｃｅｓ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＷＬＡＮ（Ｗｉｒｅｌｅｓｓ  ＬＡＮ）、ＷｉＢｒｏ（Ｗｉｒｅｌｅｓｓ  Ｂｒｏａｄｂａｎｄ  Ｉｎｔｅｒｎｅｔ）、ブルートゥース（Ｂｌｕｅｔｏｏｔｈ）などが開発されている。
【０００３】
ここで、ＧＳＭは、８９０〜９６０ＭＨｚ帯域、ＰＣＳは１．８ＧＨｚ帯域、ＷｉＭＡＸは３．６〜３．８ＧＨｚ帯域、ＷＬＡＮはＩＥＥＥ８０２．１１ｂにおいてはＩＳＭ（Ｉｎｄｕｓｔｒｉａｌ、Ｓｃｉｅｎｔｉｆｉｃ＆Ｍｅｄｉｃａｌ）バンドである２．４ＧＨｚ周波数帯域を使用し、ＩＥＥＥ８０２．１１ａにおいてはＵＮＩＩ（Ｕｎｌｉｃｅｎｓｅｄ  Ｎａｔｉｏｎａｌ  Ｉｎｆｏｒｍａｔｉｏｎ  Ｉｎｆｒａｓｔｒｕｃｔｕｒｅ）バンドである５ＧＨｚ周波数帯域を使用している。そして、ＷｉＢｒｏの場合には２．３ＧＨｚ帯域を使用し、ブルートゥースは２．４ＧＨｚの帯域を使用する。
【０００４】
このような周波数帯域を介して提供される無線通信サービスを、１つの無線端末にサービスできるようにするために、従来では、図１および図２に図示されたようなマルチバンドアンテナシステムが用いられた。
図１に図示されたマルチバンドアンテナシステムは、一端のアンテナ１０と、このアンテナ１０からの信号を複数の周波数帯域に応じて分離するためのマルチプレクサ１５（ｍｕｌｔｉｐｌｅｘｅｒ）と、このマルチプレクサ１５で分離された各周波数帯域の信号を処理するための複数のＲＦ回路２０を含む。
【０００５】
図１のアンテナシステムは単一のアンテナ１０を使用することができるので、アンテナシステムのサイズを減少させ得る利点があるものの、マルチプレクサ１５を使用することにより挿入損失が生じてしまうという問題がある。さらに、単一のアンテナ１０を使用することにより各周波数帯域に対応する無線通信サービスを同時に提供することができず、１回に１つの無線通信サービスのみが出力されるという不具合がある。
【０００６】
図２に図示されたマルチバンドアンテナシステムは、複数のアンテナ５０、複数のＢＰＦ５５（Ｂａｎｄ  Ｐａｓｓ  Ｆｉｌｔｅｒ）、複数のＲＦ回路６０を含む。各アンテナ５０は相異なる周波数帯域の信号を送受信し、各ＢＰＦ５５は各アンテナ５０から送受信される信号を希望する周波数帯域に合わせてフィルタリングする。
図２に示すように、アンテナシステムは、複数のアンテナ５０と複数のＢＰＦ５５を使用することにより挿入損失が発生し、アンテナシステムのサイズが増大してしまう問題を抱えている。
【０００７】
このような問題点に鑑みて、１つのアンテナを介して様々な無線通信サービスを受けることができ、また各無線通信サービスを同時に利用できるように再構成可能なアンテナシステムを開発し、従来のマルチバンドアンテナシステムにおいてマルチプレクサ１５やＢＰＦ５５の使用により発生する挿入損失を減少させることのできる方法が求められている。
【特許文献１】特開２００１−０３６３３５号公報
【特許文献２】特開２００５−０６４８９２号公報
【特許文献３】特開平１１−００４１１３号公報
【特許文献４】特開２００４−１１２３９４号公報
【発明の開示】
【発明が解決しようとする課題】
【０００８】
本発明は前述した問題点を解決するために案出されたもので、本発明の目的は、１つのアンテナを用いて複数の無線通信サービスが使用でき、且つ各無線通信サービスを同時に使用できるコンカレントモードアンテナシステムを提供することにある。
本発明の更なる目的は、構成を簡単化すると共に挿入損失の減少されたコンカレントモードアンテナシステムを提供することにある。
【課題を解決するための手段】
【０００９】
本発明の目的を達成するために、同時に動作可能な複数の動作周波数が形成され、複数のフィード点を有するアンテナと、前記フィード点に接続され、前記アンテナを介して送受信される無線信号を処理する信号処理回路とを含むことを特徴とする。
前記信号処理回路は、前記無線信号を処理する複数のＲＦ回路であることが好ましく、前記ＲＦ回路は、前記各フィード点に１対１に対応するように複数設けることができる。
【００１０】
前記アンテナは、グラウンドと前記グラウンドに接地されるストリップライン状の放射体として形成され、前記放射体には複数のフィード点を形成することができる。
前記各フィード点には前記ＲＦ回路と接続するためのポートを形成することができ、前記放射体は、一方が折り曲げられたストリップラインで形成される第１放射部と、前記第１放射部に向かって折り曲げられたストリップラインで形成され、前記第１放射部と互いに所定の長さだけ平行に配置された第２放射部を含むことができる。
【００１１】
前記第１放射部と前記第２放射部の一方の端部には前記ポートがそれぞれ接続されることが好ましい。
ここで、前記第１放射部は、ストリップラインをスパイラル状に複数回折り曲げて形成することができる。
また、前記第１放射部と対称形状に形成され、前記第１放射部に並べて配置され、前記第１放射部とカップリングを形成する補助放射部をさらに含むことができる。
【００１２】
前記第２放射部は、前記第１放射部と前記補助放射部の周りに沿って複数回折り曲げられたストリップラインで形成され、前記第１放射部および前記補助放射部とカップリングを形成することができる。
前記放射体と前記グラウンドは誘電体基板の両方にそれぞれ配置され、前記グラウンドの一方から延長したストリップラインで形成され、前記誘電体基板を貫通するビアホールを介して前記放射体に電気的に接続されたマッチング部を更に含むことができる。
【００１３】
ここで、前記ストリップラインの一方にはオープンスタブ（ｏｐｅｎ  ｓｔｕｂ）、ショートスタブ（ｓｈｏｒｔ  ｓｔｕｂ）、ＬＣ回路のいずれか１つを取り付けることができる。
また、前記オープンスタブと前記ショートスタブの長さは遮断を希望する周波数のλ／４の長さで形成することが好ましい。
【００１４】
なお、前記ＬＣ回路を構成するインダクタのインダクタンスと、コンデンサの容量は遮断を希望する周波数に応じて決定することができる。
【発明の効果】
【００１５】
本発明によると、単一アンテナで各動作周波数帯域に対応する様々な無線サービスを同時に提供することができ、アンテナシステムのサイズを小型化することができる。また、アンテナシステムの挿入損失を防止すると共に、構造を簡単化してコスト節減を図ることができる。
【発明を実施するための最良の形態】
【００１６】
以下、添付の図面に基づいて本発明の好適な実施形態を詳述する。
【００１７】
図３は本発明にかかるコンカレントモードアンテナシステムの概略的な構成図である。
本アンテナシステムは、複数の周波数帯域の信号を送受信する単一のアンテナ１００と、このアンテナ１００を介して送受信される信号を処理する信号処理回路１１０を含んでいる。
【００１８】
アンテナ１００は複数のフィードポイントを有し、各フィードポイントに連結されたポートを介して複数の周波数帯域の信号がアンテナ１００から信号処理回路１１０に伝達されるか、信号処理回路１１０からアンテナ１００に伝達される。なお、各ポートを介して各周波数帯域に該当する信号が伝達される場合もあり、各ポートを介してそれぞれ複数の周波数帯域に該当する信号が伝達される場合もある。なお、アンテナ１００は、各ポートを介して複数の信号が同時に伝達されるコンカレントモードとして動作するように構成できる。もちろん、各ポートを介して伝達される信号のうち１つまたは複数個を選択的に送受信できることは言うまでもない。
【００１９】
信号処理回路１１０はアンテナ１００のポートに接続され、１つのＲＦ回路１１５で構成することができ、複数のＲＦ回路１１５で構成することもできる。信号処理回路１１０を１つのＲＦ回路１１５で構成する場合、ＲＦ回路１１５を各ポートに接続し、各ポートを介して伝達される信号を周波数帯域に応じて処理できる再構成可能な回路として構成する。信号処理回路１１０を複数のＲＦ回路１１５として構成する場合、各ＲＦ回路１１５を各ポートに接続し、各ポートを介して伝達可能な周波数帯域の信号を処理するように構成する。
【００２０】
図４は本発明に係るアンテナの原理について示す概略的な構成図である。
本アンテナ１００は、回路基板の一方に配置され、複数回折り曲げられたストリップラインに形成された放射体１０１と、回路基板の他方に配置するグラウンド１０５とを含んでいる。
放射体１０１は、その長さを延長するためにジグザグに複数回折り曲げられて形成され、放射体１０１には複数のフィード点ｆ０、ｆ１、ｆ２が形成されている。各フィード点は放射体１０１の長さに応じて所定の間隔をおいて形成され、放射体１０１のストリップラインがジグザグに折り曲げられて平行に配置されることによって、各ストリップラインとの間にカップリングが発生する。これにより図５に示すＶＳＷＲ（Ｖｏｌｔａｇｅ  Ｓｔａｎｄｉｎｇ  Ｗａｖｅ  Ｒａｔｉｏ：電圧定在波比）のグラフで示すように、各フィード点ｆ０’、ｆ１’、ｆ２’で測定された各信号は、相異なる複数の周波数帯域ｆ０、ｆ１、ｆ２を有する。このとき、各周波数帯域の信号は、ＶＳＷＲが予め設定された閾値であるαより小さいので、各周波数帯域において共振周波数が形成されたことが分かる。
【００２１】
図６は本発明の一実施の形態に係るアンテナの斜視図である。
本実施の形態におけるアンテナ２００は、回路基板の一方に形成された放射体２１０、２２０と、回路基板の他方に形成されたグラウンド２３０を含む。
放射体２１０、２２０は、一方が折り曲げられたストリップラインで構成された第１放射部２１０および第２放射部２２０からなり、第１放射部２１０と第２放射部２２０はともにＬ字形状に折り曲げられている。ここで、第１放射部２１０において折り曲げられた領域を第１自由端部２１１とし、第２放射部２２０で折り曲げられた領域を第２自由端部２２１とする。第１自由端部２１１と第２自由端部２２１とは、相互に対向して形成されると、第１自由端部２１１と第２自由端部２２１は長さ方向に所定の長さだけ重なるように互いに平行に配置される。
【００２２】
一方、第１放射部２１０と第２放射部２２０の長さはそれぞれ希望する動作周波数のλ／４長さになるように形成する。なお、第１放射部２１０と第２放射部２２０の長さが相違していることから、異なる周波数帯域において動作周波数を形成する。そして、第１自由端部２１１と第２自由端部２２１が平行に配置されて互いにカップリングを形成することによって、第１放射部２１０と第２放射部２２０はそれぞれ本来の動作周波数と相違した別の動作周波数を形成する。つまり、第１放射部２１０と第２放射部２２０はそれぞれ二重帯域の動作周波数を形成する。
【００２３】
このような第１放射部２１０および第２放射部２２０のグラウンド２３０側に向かう端部にはフィード点が形成され、各フィード点には回路基板の一方方向に沿って長く形成され、互いに平行な１対のポートがそれぞれ接続されている。なお、第１放射部２１０に接続されたポートを第１ポート２１５とし、第２放射部２２０に接続されたポートを第２ポート２２５とする。一方、グラウンド２３０は、第１ポート２１５と第２ポート２２５の形成された領域に対応すべく配置される。
【００２４】
図７は図６のアンテナの動作周波数を示すグラフである。
第１放射部２１０に接続された第１ポート２１５では、図７のPort１のＡ、Port１のＢとして表示したような二重帯域動作周波数が形成される。同様に、第２放射部２２０に接続された第２ポート２２５では、図７のPort２のＣ、Port２のＤとして表示したような二重帯域動作周波数が形成される。ここで、第１放射部２１０の動作周波数は、それぞれ３．７ＧＨｚ帯域と７ＧＨｚ帯域であり、第２放射部２２０の動作周波数はそれぞれ１．８ＧＨｚ帯域と６ＧＨｚ帯域である。
【００２５】
グラフから分かるように、第１放射部２１０と第２放射部２２０はそれぞれ相異なる周波数帯域で動作周波数を形成し、第１自由端部２１１と第２自由端部２２１との間のカップリングにより、第１放射部２１０と第２放射部２２０は二重帯域の動作周波数を形成する。
このように第１放射部２１０と第２放射部２２０を介した各動作周波数は同時に発生し、これによって各動作周波数帯域に対応する様々な無線サービスを同時に受信することが可能となる。
【００２６】
図８Ａは本発明に係る他の実施形態に係るアンテナ斜視図であり、図８Ｂは図８Ａに示すアンテナの平面図である。
本実施の形態におけるアンテナ３００は、第１放射部３１０および第２放射部３２０と補助放射部３５０を有する放射体３１０、３２０、３５０と、グラウンド３３０を有し、第１放射部３１０と第２放射部３２０にはそれぞれ回路基板の一方方向に長く形成された第１ポート３１５と第２ポート３２５が接続されている。
【００２７】
第２放射部３２０は、第２ポート３２５と接続された領域から第２ポート３２５の長手方向に延長され、さらに直角に折り曲げられて、第１ポート３１５が形成された領域までに延長され、その端部から所定の長さだけ下向き折り曲げられ、さらに第２ポート３２５に向かって折り曲げられている。
第１放射部３１０は、第１ポート３１５と連結された領域から第１ポート３１５の長手方向に所定の長さだけ延長され、その端部でスパイラル状に数回折り曲げて形成される。第１放射部３１０は第２放射部３２０と第１ポート３１５との間に形成され、第１放射部３１０と第２放射部３２０の一部ストリップラインは互いに平行に配置されてカップリングを形成する。これにより、第１放射部３１０と第２放射部３２０はそれぞれ二重帯域の動作周波数を形成する。
【００２８】
補助放射部３５０は、第１放射部３１０と対称となる形状で第１放射部３１０と並んで配置され、第２放射部３２０のグラウンド側に形成されている。補助放射部３５０は、第１放射部３１０の動作時に電磁波が誘導されることによって、第１放射部３１０の長さを延長させる効果をもたらす。これにより、第１放射部３１０の動作周波数の帯域が低くなる。そして、補助放射部３５０は第１放射部３１０と共に第２放射部３２０とカップリングを形成して第２放射部３２０で二重帯域動作周波数を形成するように施す。
【００２９】
一方、第１放射部３１０の第１ポート３１５に接続されない一端部は、ビアホール３１７を介してグラウンド３３０と接続されたショット点が形成され、補助放射部３５０の一端部もビアホール３１７を介してグラウンド３３０と接続されてショット点が形成される。そして、第２放射部３２０の第２ポート３２５に連結された領域は、ビアホール３１７を介してグラウンド３３０と連結されてショット点が形成され、このときグラウンド３３０に隣接した領域にはグラウンド３３０に連結されたストリップライン形状のマッチング部３４０が形成されており、ビアホール３１７はマッチング部３４０の自由端部と第２放射部３２０を連結する。マッチング部３４０は周波数帯域の幅を増加させる役割を行う。
【００３０】
一方、第１および第２放射部３１０、３２０と補助放射部３５０の形状はストリップラインを折り曲げることで様々に形成することができる。
図９は、図８Ａのアンテナの動作周波数を示すグラフである。
第１放射部３１０に接続された第１ポート３１５には、Port１のＡ、Port１のＢとして表示された二重帯域動作周波数が形成され、第２放射部３２０に接続された第２ポート３２５では、Port２のＣ、Port２のＤとして表示されたグラフのように二重帯域動作周波数が形成される。ここで、第１放射部３１０はＷｉＢｒｏとＷＬＡＮの周波数帯域である２．３ＧＨｚ〜２．４８ＧＨｚ帯域と、ＩＥＥＥ８０２．１１ｎ規格によるＷＬＡＮの周波数帯域である５．１５ＧＨｚ〜５．８２５ＧＨｚ帯域で動作周波数を形成する。第２放射部３２０は、ｍＲＦＩＤの周波数帯域である０．９ＧＨｚ〜０．９２ＧＨｚ帯域と、ｍＷｉＭＡＸの周波数帯域である３．４ＧＨｚ〜３．７ＧＨｚ帯域で動作周波数を形成する。
【００３１】
つまり、第１放射部３１０と第２放射部３２０は、それぞれ異なる周波数帯域で動作周波数を形成し、第１放射部３１０は補助放射部３５０により動作周波数帯域が低くなり、第１放射部３１０と第２放射部３２０のカップリングによりそれぞれ第１放射部３１０と第２放射部３２０は二重帯域の動作周波数を形成する。
一方、アンテナ３００の動作周波数は第１放射部３１０と第２放射部３２０の長さに応じて変更可能であることは言うまでもない。
【００３２】
図１０Ａないし図１０Ｃは本発明のアンテナシステムにオープンスタブ、ショートスタブ、ＬＣ回路の設けられた状態を示す概略図である。
アンテナのストリップラインの一方にオープンスタブ１０６、ショートスタブ１０７、ＬＣ回路１０８のいずれか１つを設置することによって、特定周波数帯域の送受信を遮断することができる。このとき、オープンスタブ１０６とショートスタブ１０７はそれぞれ送受信遮断を希望する周波数帯域のλ／４長さで形成される。ＬＣ回路１０８の場合、インダクタのインダクタンスとコンデンサのキャパシタンスを調節することで希望の周波数帯域にマッチングさせる。
【００３３】
このようにオープンスタブ１０６、ショートスタブ１０７、ＬＣ回路１０８を取り付けることによって各ポート間における周波数帯域の遮断を極大化することができ、各ポートで送受信する周波数帯域でない特定の周波数を遮断することができる。
図１１は本発明の他の実施形態に係るアンテナの平面図である。
本実施の形態のアンテナ４００は、３つのポート４１５を有し、各ポート４１５の端部にはそれぞれストリップライン形状の放射部４１０が形成されている。各ポート４１５を介して観察される動作周波数帯域は複数形成され、前述の実施形態より多い動作周波数帯域を形成することができる。
【００３４】
一方、各放射部４１０は全てＬ字形状に形成されているが、図８Ａに図示されたアンテナ３００の第１放射部３１０および第２放射部３２０と補助放射部３５０の形状と同一に形成することができ、この他にも多様な形状に折り曲げて形成することもできる。
さらに、図１１には３つのポートを形成したアンテナ４００が図示されているが、複数のポートと複数の放射部を有するアンテナを設計することもできる。
【００３５】
このようなアンテナシステムは、単一のアンテナ１００を用いて複数の動作周波数を形成することができるので、単一のアンテナ１００で各動作周波数帯域に対応する様々な無線サービスを提供することができるだけでなく、アンテナシステムのサイズを小型化することができる。また、各動作周波数帯域を介して同時に複数の無線信号を送受信できるコンカレントモードとして動作することができるので、マルチサービスを同時に提供することができる。さらに、従来のアンテナシステムに取り付けられるＢＰＦ、マルチプレクサなどを取り除くことができるので、挿入損失の発生を防止できると共に、アンテナシステムの構造を簡単化し、コストを節減することができる。
【００３６】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００３７】
【図１】従来の一実施の形態に係るマルチバンドアンテナシステムの概略的な構成図である。
【図２】従来の他の実施形態に係るマルチバンドアンテナシステムの概略的な構成図である。
【図３】本発明に係るコンカレントモードアンテナシステムの構成図である。
【図４】図３のアンテナシステムに含まれるアンテナの平面図である。
【図５】図４のアンテナの定在波比を示すグラフである。
【図６】本発明の一実施の形態に係るアンテナの斜視図である。
【図７】図６におけるアンテナの動作周波数を示すグラフである。
【図８Ａ】本発明の他の実施形態に係るアンテナの斜視図である。
【図８Ｂ】図８Ａに図示されたアンテナの平面図である。
【図９】図８Ａのアンテナの動作周波数を示すグラフである。
【図１０Ａ】本アンテナにオープンスタブが取り付けられた状態を示す平面図である。
【図１０Ｂ】本アンテナにショートスタブが取り付けられた状態を示す平面図である。
【図１０Ｃ】本アンテナにＬＣ回路が取り付けられた状態を示す平面図である。
【図１１】本発明の更なる実施の形態に係るアンテナの平面図である。
【符号の説明】
【００３８】
１００      アンテナ
１０１      ストリップライン
２００      アンテナ
２１０      第１放射部
２１５      第１ポート
２２０      第２放射部
２２５      第２ポート
２３０      グラウンド
【図１】
2008154233.tif 000003
【図２】
2008154233.tif 000004
【図３】
2008154233.tif 000005
【図４】
2008154233.tif 000006
【図５】
2008154233.tif 000007
【図６】
2008154233.tif 000008
【図７】
2008154233.tif 000009
【図８Ａ】
2008154233.tif 000010
【図８Ｂ】
2008154233.tif 000011
【図９】
2008154233.tif 000012
【図１０Ａ】
2008154233.tif 000013
【図１０Ｂ】
2008154233.tif 000014
【図１０Ｃ】
2008154233.tif 000015
【図１１】
2008154233.tif 000016